(57)【要約】【課題】締め付けと着脱が容易で、且つ荷こぼれや荷物の破損を起こさないようにすること。【解決手段】本体ベルト１の長さ方向の一端の幅員方向の上段、中段、下段に設けた面ファスナー７と、前記本体ベルト１の中段に一端が固定され一面に面ファスナー６が設けられた締め付けベルト５と、前記本体ベルト１の長さ方向の他端の幅員方向の中段に固定された帯通し環８と、前記本体ベルト１の他端に一端が固定され前記本体ベルト１と略同じ幅員を有する一面に面ファスナー６を有する貼付固定ベルト４とを備え、前記締め付けベルト５を前記帯通し環８に通して前記運搬物に巻回して締め付け、前記締め付けベルト５の面ファスナー６を前記中段の面ファスナー７に貼り付け固定すると共に、前記貼付固定ベルト４の面ファスナー６を前記上段と下段の面ファスナー７に貼り付け固定する。【選択図】図１
2007153412.tif 000002
【特許請求の範囲】
【請求項１】
積載台上に積載された運搬物に巻回して用いる荷崩れ防止ベルトであって、
所定の長さと幅員を有する本体ベルトと、
該本体ベルトの長さ方向の一端の幅員方向の上段、中段、下段に設けた面ファスナーと、
前記本体ベルトの長さ方向の一端の幅員方向の中段に一端が固定され一面に面ファスナーが設けられた前記本体ベルトより幅員が狭い締め付けベルトと、
前記本体ベルトの長さ方向の他端の幅員方向の中段に固定された帯通し環と、
前記本体ベルトの長さ方向の他端に一端が固定され前記本体ベルトと略同じ幅員を有する一面に面ファスナーを有する貼付固定ベルトとを備え、
前記締め付けベルトを前記帯通し環に通して前記運搬物に巻回して締め付け、前記締め付けベルトの面ファスナーを前記中段の面ファスナーに貼り付け固定すると共に、前記貼付固定ベルトの面ファスナーを前記上段と下段の面ファスナーに貼り付け固定することを特徴とした荷崩れ防止ベルト。
【請求項２】
前記本体ベルトの長さ方向の両端に前記本体ベルトと略同じ幅員の保形心材を備えることを特徴とした請求項１記載の荷崩れ防止ベルト。
【請求項３】
前記上段、中段、下段の面ファスナーは、上下段と中段では雄、雌のタイプが異なることを特徴とした請求項１又は２記載の荷崩れ防止ベルト。
【発明の詳細な説明】
【技術分野】
【０００１】
本発明は、主として荷役用パレット上に積載された各種の運搬物の荷崩れを防止する荷崩れ防止ベルトに関するもので、特に運搬物の周囲を簡便に巻き締め、且つ着脱容易な荷崩れ防止用の締め具に関するものである。
【背景技術】
【０００２】
従来から運搬物の荷崩れを防止するために、透明合成樹脂製フィルム材を複数周回巻きすることが行われていたが、これらは使い捨てのため、廃棄焼却時に有害ガスを発生する等の公害問題が発生していた。
【０００３】
そのため、企業の荷役配送では、環境保護の観点から再利用可能な荷崩れ防止ベルトが多用されるようになってきた。
【０００４】
図３は従来の直締め構造の説明図である。図３において、幅広の本体ベルト１の端部に面ファスナー６（雄）と面ファスナー７（雌）が設けてある。この幅広ベルトによる荷崩れ防止ベルトの構造は簡単であり、装着後は本体ベルトと一体となるため、荷を傷めることも無く、離脱も簡単であるが、装着時に一人で締める場合には二方向から同時に力を入れなければならないため締め不足となることがあった。
【０００５】
図４は従来の折り返し締め構造の説明図である。図４において、幅広の本体ベルト１の端部に保形心材２と保形金具（心材）３を設け、保形心材２が設けられた端部には帯通し環８を取り付け、保形金具３が設けられた端部には面ファスナ−９が設けられた締め付けベルト５が固定されている。この締め付け部（締め付けベルト５と帯通し環８）では、帯通し環にベルトを通し、折り返して締め付けるため、力が２倍になり締め付けが容易である。また、保形心材２、３によりベルト全体に一様に力が掛かり、引張り皺が発生しないものであった。
【０００６】
しかしながら、締め付け部はその構造上、連結部に隙間ができ、小物の荷こぼれの原因になったり、締め具のベルトに力が集中し、ダンボール製の荷物の角に当たると破損原因になるものであった。
【０００７】
所定幅員の帯状のものとして構成されるもので、上記のような従来提案されたものとして、例えば、特許文献１〜５がある。これらはいずれも運搬物の周囲を巻回して、適宜な締結手段によってベルト本体の端部相互を連結し運搬物の周囲を締結するものである。
【０００８】
これらの荷崩れ防止ベルトは、いずれも繰り返し使用でき、また結束時の安定性が得られるように、考えられたものであった。
【特許文献１】特開２００１−１２２２６６号公報
【特許文献２】特開２００３−０５４６２５号公報
【特許文献３】特開２００４−１４２８０４号公報
【特許文献４】特開２００４−１８９２９２号公報
【特許文献５】特開２００４−３３８８０１号公報
【発明の開示】
【発明が解決しようとする課題】
【０００９】
前記従来のものは次のような課題があった。
従来提案のリング部材を使った狭幅状の荷崩れ防止ベルトは、幅広ベルトに適用するとリング部材が大きくなり適応できないものや、幅広ベルトに応用すると中央部に力が集中し、ベルトに引っ張り皺が発生する不具合が発生するものであった。
【００１０】
また、従来の幅広ベルトでは、連結部に隙間ができ、小物の荷こぼれの原因になったり、締め具のベルトに力が集中し、ダンボール製の荷物の破損原因になる可能性があった。
【００１１】
また、複数の締め付け手段を設けるものは、締め方法に工夫が必要で、慣れないと十分に締められないものであった。
【００１２】
本発明は、幅広荷崩れ防止ベルトにあって、締め付けと着脱が容易で、且つ荷こぼれや荷物の破損を起こさない荷崩れ防止ベルトを提供することを目的とする。
【課題を解決するための手段】
【００１３】
図１は本発明の荷崩れ防止ベルトの説明図である。図１中、１は本体ベルト、２、３は保形心材、４は貼付固定ベルト、５は締め付けベルト、６は雄面ファスナー（面ファスナー）、７は雌面ファスナー（面ファスナー）、８は帯通し環である。
【００１４】
本発明は、上記の課題を解決するため次のように構成した。
（１）：積載台上に積載された運搬物に巻回して用いる荷崩れ防止ベルトであって、所定の長さと幅員を有する本体ベルト１と、該本体ベルト１の長さ方向の一端の幅員方向の上段、中段、下段に設けた面ファスナー７と、前記本体ベルト１の長さ方向の一端の幅員方向の中段に一端が固定され一面に面ファスナー６が設けられた前記本体ベルト１より幅員が狭い締め付けベルト５と、前記本体ベルト１の長さ方向の他端の幅員方向の中段に固定された帯通し環８と、前記本体ベルト１の長さ方向の他端に一端が固定され前記本体ベルト１と略同じ幅員を有する一面に面ファスナー６を有する貼付固定ベルト４とを備え、前記締め付けベルト５を前記帯通し環８に通して前記運搬物に巻回して締め付け、前記締め付けベルト５の面ファスナー６を前記中段の面ファスナー７に貼り付け固定すると共に、前記貼付固定ベルト４の面ファスナー６を前記上段と下段の面ファスナー７に貼り付け固定する。このため、締め付けと着脱が容易で、且つ荷こぼれや荷物の破損を起こさないようにすることができる。
【００１５】
（２）：前記（１）の荷崩れ防止ベルトにおいて、前記本体ベルト１の長さ方向の両端に前記本体ベルト１と略同じ幅員の保形心材２、３を備える。このため、締め付けベルトで引張ったときにベルト全体に一様に力が掛かり本体ベルト１に引張り皺がでないようにすることにより、運搬物に均等に固定力が働き、運搬物を傷めないものである。
【００１６】
（３）：前記（１）又は（２）の荷崩れ防止ベルトにおいて、前記上段、中段、下段の面ファスナー７は、上下段と中段では雄、雌のタイプが異なる。このため、締め付けベルト５の面ファスナー６は上段と下段の面ファスナー７とは貼り付きにくくすることができる。
【発明の効果】
【００１７】
本発明によれば次のような効果がある。
（１）：締め付けベルトを帯通し環に通して運搬物に巻回して締め付け、前記締め付けベルトの面ファスナーを中段の面ファスナーに貼り付け固定すると共に、貼付固定ベルトの面ファスナーを上段と下段の面ファスナーに貼り付け固定するため、締め付けと着脱が容易で、且つ荷こぼれや荷物の破損を起こさないようにすることができる。
【００１８】
（２）：本体ベルトの長さ方向の両端に前記本体ベルトと略同じ幅員の保形心材を備えるため、締め付けベルトで引張ったときにベルト全体に一様に力が掛かり本体ベルトに引張り皺がでないようにすることにより、運搬物に均等に固定力が働き、運搬物を傷めないようにできる。
【００１９】
（３）：上段、中段、下段の面ファスナーは、上下段と中段では雄、雌のタイプが異なるため、締め付けベルトの面ファスナーは上段と下段の面ファスナーとは貼り付きにくくすることができる。
【発明を実施するための最良の形態】
【００２０】
本発明にあっては、折り返して締め付けるための締め付けベルトとこの締め付けベルトを通す帯通し環、及び、締め付けた後に面ファスナーなどで本体ベルトに固定する貼付固定ベルトから成る締め付け固定部と、本体ベルトの両端の締め付け固定部近傍に縫い込まれた保形心材により構成され、締め付けベルトを手に持って一方向に力を加えて締め付けることで、加えた力の２倍の引張力で本体ベルトを締め付け、その状態で、貼付固定ベルトの雄（雌）面ファスナーを本体ベルトの雌（雄）面ファスナーに固着し固定することができる。
【００２１】
本体ベルトの両端の締め付け固定部近傍に縫い込まれた保形心材は、締め付けベルトで引張ったときにベルト全体に一様に力が掛かり本体ベルトに引張り皺がでないようにするものである。
【００２２】
以下、図面を参照して本発明の実施の形態を説明する。
図１は本発明の荷崩れ防止ベルトの説明図である。図１において、所定幅員を有する本体ベルト１の長さ方向の一端には、保形心材２、締め付けベルト５、上段、中段、下段の雌面ファスナー７が設けてある。そして、締め付けベルト５の一面に雄面ファスナー６が設けてある。また、本体ベルト１の他端には、保形心材３、貼付固定ベルト４、上段、下段の雄面ファスナー６、帯通し環８、面ファスナー１２が設けてある。
【００２３】
本体ベルト１は、運搬物をほぼ水平方向で巻回装着する場合には、段積みされた運搬物の上下方向で荷崩れを防止するに足る十分な幅員と、運搬物を周回し締めるために足る十分な長さとを備えたものとなっており、これの形成素材は例えばポリエステル繊維などを用いて運搬時の引張衝撃に耐えうる強靱性を備えたものとなっている。
【００２４】
保形心材２、３は、締め付けベルト５で引張ったときにベルト全体に一様に力が掛かり本体ベルト１に引張り皺がでないようにするものである。貼付固定ベルト４は、本体ベルト１と略同じ幅員を有し、一端が保形心材３の内側（本体ベルト１の中央より）で本体ベルト１に固定され、他端の上段、下段の雄面ファスナー６が雌面ファスナー７の上段、下段とそれぞれ貼り付け固定されるものである。
【００２５】
締め付けベルト５は、一端が中段の雌面ファスナー７の位置で且つ保形心材２より外側（本体ベルト１の端部より）で本体ベルト１に固定されており、締め付けベルト５の他端側の雄面ファスナー６が中段の雌面ファスナー７と貼り付け固定されるものである。雌面ファスナー７は、上段、下段が貼付固定ベルト４の上段、下段の雄面ファスナー６と貼り付け固定され、中段が締め付けベルト５の雄面ファスナー６と貼り付け固定されるものである。この雌面ファスナー７は上段、中段、下段に分けたが、分けずに一面で形成することもできる。帯通し環８は、保形心材３より外側で本体ベルト１に中段位置で固定され、締め付けベルト５を通し、該締め付けベルト５を折り返して締め付けるためのものである。この帯通し環８（上下の幅が例えば、３０ｃｍ）は金属又はグラスファイバー等で作ることができる。面ファスナー１２は、本体ベルト１を巻回する際に貼付固定ベルト４が地面にたれ、汚れるのを防ぐために、貼付固定ベルト４を貼り付け固定しておくものである。
【００２６】
なお、前記面ファスナーの雄、雌のタイプは、逆にしても同じ効果を有するものである。
【００２７】
図２は運搬物に装着した荷崩れ防止ベルトの説明図である。図２において、本体ベルト１は、所定幅員を有するものであり、荷役用のパレット１１（所謂積載台）上に段積み状に積載されたダンボール箱などの運搬物１０に巻き付けられるものである。
【００２８】
本発明の荷崩れ防止ベルトは、図２に示すようにほぼ水平方向で巻回装着するに足りる長さと幅員とを備え、帯状に形成されたものである。すなわち、この本体ベルト１は、運搬物１０をほぼ水平方向で巻回装着する場合には、段積みされた運搬物１０の上下方向で荷崩れを防止するに足る十分な幅員と、運搬物１０を周回し締めるために足る十分な長さとを備えたものとなっている。これの形成素材は例えばポリエステル繊維などを用いて運搬時の引張衝撃に耐えうる強靱性を備えたものとなっている。
【００２９】
また、この本体ベルト１には、運搬物１０を巻回装着した後の端部同士を引き締めるための締め付けベルト５を有している。図２に示す例における締め付け手段は、本体ベルト１を運搬物１０の周囲に巻回した後に、本体ベルト１の一端に備え付けられた締め付けベルト５を、本体ベルト１のもう一端に備え付けられた帯通し環８に通し、折り返して締め付けるためのものである。この締め付け手段で締め付けた状態で、帯通し環８の装備した側の本体ベルト１の端部に備え付けられた貼付固定ベルト４の雄（又は雌）面ファスナー６をもう一端の雌（又は雄）面ファスナー７に張り合わせ固定することで運搬物を十分に締め付け固定し、運搬物１０の荷崩れを防止するものとしてある。
【００３０】
また、本体ベルト１の両端部には、締め付けベルト５によりに締め付けたときに引張り皺を防止し本体ベルトの形状を維持するため、本体ベルト１の幅員方向に保形芯材２、３を縫い込んである。
【００３１】
なお、この例では、締め付け手段として、人が片手で持って引張することができ、且つ締め付けに足る十分な強度を持った締め付けベルトを示したが、同様の強度を有する紐状のもので置き換えることも可能である。
【００３２】
また、締め付けベルト５と本体ベルト１に面ファスナーを設けて締め付けベルト５の垂れを防止しても良い（例えば、中段の面ファスナー７を長さ方向に長くするなど）。
【００３３】
さらに、中段の面ファスナー７を雄に上段と下段の面ファスナー７を雌にのように異なるタイプの面ファスナーを用いることもできる。この場合、締め付けベルト５の面ファスナーは雌になり、貼付固定ベルト４の面ファスナーは雄のタイプとなる。これにより、締め付けベルト５の面ファスナーは上段と下段の面ファスナー７と貼り付きにくくなる。
【００３４】
また、締め付けベルト５の先端を環状にし、より引張力を高めるようにすることも可能である。なお、帯通し環８は金属だけにこだわらず、グラスファイバー等でも代替できる。
【００３５】
さらに、本体ベルト１を運搬物に巻回する際、貼付固定ベルト４が地面にたれ、汚れるのを防ぐため、この貼付固定ベルト４の表側（雄面ファスナー６の裏側）と同距離分の本体ベルト１に面ファスナー１２を付け、この面ファスナー１２に貼付固定ベルト４の表側の面ファスナー（図示せず）を貼り付け固定し、貼付固定ベルト４が垂れ下がるのを防ぐと共に作業の効率化を図ることができる。
【００３６】
本発明はこのように構成されているため、例えば、ダンボール箱や袋状の段積みされた積載物の周囲を巻回装着することで、運搬時などの荷崩れを防止することができる。さらに、作業は一人でも荷崩れを防止するための十分な締め付けを行うことができるようになる。また、その構造上、小物の荷こぼれの原因になったり、締め具のベルトに力が集中し、ダンボール製の荷物の破損原因になることがない。また、その構造が簡単で、着脱が容易なものである。
【図面の簡単な説明】
【００３７】
【図１】本発明の荷崩れ防止ベルトの説明図である。
【図２】本発明の運搬物に装着した荷崩れ防止ベルトの説明図である。
【図３】従来の直締め構造の説明図である。
【図４】従来の折り返し締め構造の説明図である。
【符号の説明】
【００３８】
１  本体ベルト
２、３  保形心材
４  貼付固定ベルト
５  締め付けベルト
６  雄面ファスナー（面ファスナー）
７  雌面ファスナー（面ファスナー）
８  帯通し環
【図１】
2007153412.tif 000003
【図２】
2007153412.tif 000004
【図３】
2007153412.tif 000005
【図４】
2007153412.tif 000006